(57)【要約】      （修正有）【課題】積層型リチウムイオン電池の大量生産技術を確立するため、袋入り電極板及び単電池積層体を大量に効率よく製造する技術及び製造装置の提供、並びに大量生産が可能でコストが安く、自己放電率が低く品質のよい積層型リチウムイオン電池の提供。【解決手段】循環移動する複数の吸引盤付き「受け台」１−４及び「押え板」２−３を使用し、下側セパレータ切断片１４を吸引固定した「受け台」と上側セパレータ切断片１５を吸引固定した「押え板」で、電極板（正極板）１１を挟み込んだ状態を形成したものをその状態を保持して移動させながら、電極板の上下のセパレータをその外周で自動的に熱接着し、切断し、余剰のセパレータを除去する方法で作った袋入り電極板（正極板）１６と相対する裸の電極板（負極板）を交互に積層することにより、大量に且自動的に積層型リチウムイオン電池の単電池積層体を製造する。【選択図】図９
2007329112.tif 000002
【特許請求の範囲】
【請求項１】
複数個の循環移動する吸引盤付き受け台とそれにセパレータロールより下側セパレータ帯を繰り出す下側セパレータ帯繰り出し装置、並びにセパレータロールより上側セパレータ帯を繰り出す上側セパレータ帯繰り出し装置と繰り出した上側セパレータ帯を受ける上側セパレータ帯受け装置及び１個の移動する又は複数個の循環移動する吸引盤付き押え板、よりなる装置において、下側セパレータ帯繰り出し装置より繰り出された下側セパレータ帯を循環移動する吸引盤付き受け台Ａの上で吸引盤により吸引固定した状態で引き取り、下側セパレータ帯繰り出し装置と前記受け台Ａの間にできた間隔に循環移動する吸引盤付き受け台Ｂを挿入し、この状態で下側セパレータ帯を前記受け台Ａと前記受け台Ｂの間で切断し、前記受け台Ａの上に下側セパレータ帯が切断された下側セパレータ切断片を吸引固定した状態を作り、この上の所定の位置に電極板を置く操作を行うと同時に、これと並行して上側セパレータ帯繰り出し装置より上側セパレータ帯受け装置の上に繰り出された上側セパレータ帯を前記押え板で押さえ、この状態で上側セパレータ帯を上側セパレータ帯繰り出し装置と前記押え板との間で切断し、前記押え板の下に上側セパレータ帯が切断された上側セパレータ切断片を吸引固定した状態を作り、この前記押え板を前記受け台Ａの上に移動してその上にある電極板と下側セパレータ切断片を上側セパレータ切断片と前記押え板が所定の位置で押える状態を作り、この、下側セパレータ切断片を吸引固定した前記受け台Ａと上側セパレータ切断片を吸引固定した前記押え板で挟みこんだサンドイッチ状態の電極板を、その状態を保持して移動させながら、電極板の縁の外側の上下のセパレータを熱接着し、電極板の縁の外側でセパレータの熱接着された部分又はその外側を切断し、さらに、余分なセパレータを除去する方法で作った袋入り電極板と相対する裸の電極板を交互に積層して積層型リチウムイオン電池の単電池積層体を製造することを特徴とするリチウムイオン電池の製造方法
【請求項２】
複数個の循環移動する吸引盤付き受け台とそれにセパレータロールより下側セパレータ帯を繰り出す下側セパレータ帯繰り出し装置、並びにセパレータロールより上側セパレータ帯を繰り出す上側セパレータ帯繰り出し装置と繰り出した上側セパレータ帯を受ける上側セパレータ帯受け装置及び１個の移動する又は複数個の循環移動する吸引盤付き押え板、よりなる装置において、下側セパレータ帯繰り出し装置より繰り出された下側セパレータ帯を循環移動する吸引盤付き受け台Ａの上で吸引盤により吸引固定した状態で引き取り、下側セパレータ帯繰り出し装置と前記受け台Ａの間にできた間隔に循環移動する吸引盤付き受け台Ｂを挿入し、この状態で下側セパレータ帯を前記受け台Ａと前記受け台Ｂの間で切断し、前記受け台Ａの上に下側セパレータ帯が切断された下側セパレータ切断片を吸引固定した状態を作り、この上の所定の位置に電極板を置く操作を行うと同時に、これと並行して上側セパレータ帯繰り出し装置より上側セパレータ帯受け装置の上に繰り出された上側セパレータ帯を前記押え板で押さえ、この状態で上側セパレータ帯を上側セパレータ帯繰り出し装置と前記押え板との間で切断し、前記押え板の下に上側セパレータ帯が切断された上側セパレータ切断片を吸引固定した状態を作り、この前記押え板を前記受け台Ａの上に移動してその上にある電極板と下側セパレータ切断片を上側セパレータ切断片と前記押え板が所定の位置で押える状態を作り、この、下側セパレータ切断片を吸引固定した前記受け台Ａと上側セパレータ切断片を吸引固定した前記押え板で挟みこんだサンドイッチ状態の電極板を、その状態を保持して移動させながら、電極板の縁の外側を先端の尖った熱コテ又は熱線を用いて熱的に溶着すると同時に切断し、さらに、余分なセパレータを除去する方法で作った袋入り電極板と相対する裸の電極板を交互に積層して積層型リチウムイオン電池の単電池積層体を製造することを特徴とするリチウムイオン電池の製造方法
【請求項３】
複数個の循環移動する吸引盤付き受け台とそれにセパレータロールより下側セパレータ帯を繰り出す下側セパレータ帯繰り出し装置、並びにセパレータロールより上側セパレータ帯を繰り出す上側セパレータ帯繰り出し装置と繰り出した上側セパレータ帯を受ける上側セパレータ帯受け装置及び１個の移動する又は複数個の循環移動する吸引盤付き押え板、よりなる装置において、下側セパレータ帯繰り出し装置より繰り出された下側セパレータ帯を循環移動する吸引盤付き受け台Ａの上で吸引盤により吸引固定した状態で引き取り、下側セパレータ帯繰り出し装置と前記受け台Ａの間にできた間隔に循環移動する吸引盤付き受け台Ｂを挿入し、この状態で下側セパレータ帯を前記受け台Ａと前記受け台Ｂの間で切断し、前記受け台Ａの上に下側セパレータ帯が切断された下側セパレータ切断片を吸引固定した状態を作り、この上の所定の位置に電極板を置く操作を行うと同時に、これと並行して上側セパレータ帯繰り出し装置より上側セパレータ帯受け装置の上に繰り出された上側セパレータ帯を前記押え板で押さえ、この状態で上側セパレータ帯を上側セパレータ帯繰り出し装置と前記押え板との間で切断し、前記押え板の下に上側セパレータ帯が切断された上側セパレータ切断片を吸引固定した状態を作り、この前記押え板を前記受け台Ａの上に移動してその上にある電極板と下側セパレータ切断片を上側セパレータ切断片と前記押え板が所定の位置で押える状態を作り、この、下側セパレータ切断片を吸引固定した前記受け台Ａと上側セパレータ切断片を吸引固定した前記押え板で挟みこんだサンドイッチ状態の電極板を、その状態を保持して、その位置で又は移動させながら、電極板の縁の外側の上下のセパレータを熱接着する方法で作った袋入り電極板と相対する裸の電極板を交互に積層して積層型リチウムイオン電池の単電池積層体を製造することを特徴とするリチウムイオン電池の製造方法
【請求項４】
請求項１又は請求項２又は請求項３記載の製造方法により製造した単電池積層体よりなることを特徴とするリチウムイオン電池
【請求項５】
請求項４記載のリチウムイオン電池において複数枚のセパレータを組み合わせて使用することを特徴とするリチウムイオン電池
【請求項６】
請求項１又は請求項２又は請求項３記載の製造方法により、単電池積層体を製造することを特徴とするリチウムイオン電池の製造装置
【請求項７】
請求項６記載のリチウムイオン電池の製造装置において、上側セパレータ帯受け装置が、ベルトコンベア、又は上側セパレータ帯の流れ方向に往復移動する吸引盤付き受け台であることを特徴とするリチウムイオン電池の製造装置
【発明の詳細な説明】
【技術分野】
【０００１】  本発明は、大型積層型リチウムイオン電池、特に自動車用大型積層型リチウムイオン電池に関する。
【背景技術】
【０００２】従来、リチウムイオン電池は、エレクトロニクス分野用の小型の渦巻型が主流で、この分野の大量生産技術は確立されている。近時、電気自動車用、緊急電力用、夜間電力貯蔵用など大型のリチウムイオン電池に対する要求が高まってきた。リチウムイオン電池を大型化するには、積層型が適している。しかし、積層型リチウムイオン電池の大量生産技術は、未だ確立されていない。
【発明の開示】
【発明が解決しようとする課題】
【０００３】  積層型リチウムイオン電池の大量生産技術を確立するには、正極板、セパレータ、負極板を積層して作る単電池積層体を大量に、効率よく製造する技術及び製造装置が必要である。【０００４】  積層型リチウムイオン電池の品質と製造時の歩留は、この単電池積層体を如何にうまく作るかにより支配される。単電池積層体の製造には、正極板、セパレータ、負極板、セパレータ、正極板、セパレータ、負極板、セパレータを繰り返し自動的に且正確に積層する技術と装置が求められる。【０００５】  この時、正極板を袋入りにし、袋入り正極板と裸の負極板を交互に積層することにより、単電池積層体を作る方法が考えられる。この方法では、袋入り正極板と裸の負極板の２種類を交互に積層することにより、上記積層と同じ効果が得られるので、積層工程は単純化される。本発明者は、この方法で作られる単電池積層体よりなる積層型リチウムイオン電池は、自己放電率が低く品質がよいことを見出した。その理由は正極板の周囲のセパレータを熱接着で封じているため、単電池積層体の電極板の周辺部での電流の漏れが少ないためであると考えられる。また、積層工程が単純化されることにより、製造時の歩留もよいことも見出した。しかし、袋入り電極板を大量に且自動的に製造する技術と装置は未だ開発されていない。【０００６】  因みに、電気自動車１台には、約１００セルの積層型リチウムイオン電池が必要であり、そのためには、約１万枚の正極板及び負極板を積層することとなる。従って、１万台分の積層型リチウムイオン電池を製造するには約１億枚の正極板及び負極板を積層して単電池積層体を作る必要がある。【０００７】  本発明は、積層型リチウムイオン電池の安定した品質の単電池積層体を大量に効率よく製造するためのキーテクノロジーである、袋入り電極板の新規な製造方法を組み込んだ積層型リチウムイオン電池の単電池積層体の製造方法及び製造装置並びにその製造方法に基づくリチウムイオン電池を提案する。【０００８】  即ち、本発明の課題は、積層型リチウムイオン電池の大量生産技術を確立するため、単電池積層体を大量に効率よく、よい歩留で製造する技術及び製造装置の提供すること、並びに大量生産が可能でコストが安く、自己放電率が低く品質のよい積層型リチウムイオン電池を提供することである。
【課題を解決するための手段】
【０００９】  本発明に関わる積層型リチウムイオン電池の単電池は、正極合剤を正極集電体（通常はアルミニウムの薄板）の両面に塗布した正極板と負極合剤を負極集電体（通常は銅の薄板）の両面に塗布した負極板を、セパレータを挿んで交互に積層して得られる単電池積層体に正極端子金具及び負極端子金具を接続したものを単電池（セル）ケースに収納し、電解液を注入して密閉構造にしたものである。【００１０】  積層型リチウムイオン電池の心臓部である単電池積層体は、正極板、セパレータ、負極板、セパレータ、正極板、セパレータ、負極板、セパレータを繰り返し積層して製造するのが普通であるが、本発明では、先ずセパレータ製袋入り正極板（又は負極板）を製造し、これと相対する裸の負極板（又は正極板）を交互に積層して単電池積層体を製造する製造方法を採用した。本発明者は、袋入り電極板を効率よく、大量生産に適した製造方法及び製造装置の開発を鋭意研究した結果、それを達成した。【００１１】  先にも述べたように、この方法の利点は、袋入り正極板（又は負極板）と相対する裸の負極板（又は正極板）の２つのコンポーネントのみを交互に積層するので、積層工程が単純化されることである。従来から、本発明者は手作りの袋入り電極板（正極板又は負極板）と相対する裸の電極板（負極板又は正極板）を交互に積層して積層型リチウムイオン電池の単電池積層体を製造することにより、自己放電率が低い品質がよい大型積層型リチウムイオン電池が出来ることを見出しており、この方法で作った大型積層型リチウムイオン電池は、従来の実績から５年以上１０年程度の寿命がある電気自動車用に適した優れた電池であることも分かっている。また、この製造方法は製造時の歩留もよいことを見出している。しかし、手作りでは大量生産が困難であり、また、コストも高い。袋入り電極板を効率よく、大量に製造する技術を開発することがこの方法によるリチウムイオン電池のコストダウンの鍵を握っている。【００１２】  本発明により、袋入り電極板を大量に且自動的に製造する新規な製造方法と製造装置を提供し、この技術と袋入り正極板（又は負極板）と裸の負極板（又は正極板）を交互に積層する技術を組み合わせて、大量に且自動的に積層型リチウムイオン電池の単電池積層体を製造する製造方法及び製造装置を提供できるようになった。また、この製造方法で製造した単電池積層体を組み込むことにより、自己放電率が低く品質のよい積層型リチウムイオン電池を大量に安く提供することが出来る。【００１３】  本発明の特徴の一つは、袋入り電極板（正極板又は負極板）と相対する裸の電極板（負極板又は正極板）を交互に積層して積層型リチウムイオン電池の単電池積層体を製造することである。従来、袋入り電極板を効率よく製造する技術がなかったために、この方法の工業化が進まなかった。【００１４】  もう一つの特徴は、袋入り電極板の効率がよく、大量生産に適した新規な製造方法及び製造装置を提供することである。【００１５】  また、その新規な袋入り電極板の製造方法の特徴の一つは、厚みが薄くて取り扱いの難しいセパレータを、しかもセパレータロールから繰り出されるセパレータ帯を電極板より少し大きい寸法に切断したもの（以下、「���パレータ切断片」という）の形で、これも取り扱いに注意を要する電極板の上下に重ね合わせた状態で、袋入り電極板を製造する加工工程を行うことである。このことを可能にしたのは、本発明が提案する「サンドイッチ状態の電極板」をその状態を保持して移動しながら加工工程を行うことであり、また、「サンドイッチ状態の電極板」を形成するために導入した複数個の循環移動する「吸引盤付き受け台」及び複数個の循環移動する「吸引盤付き押え板」の働きである。【００１６】  以下に本発明の一形態である、セパレータ製袋入りの電極板を製造する新規な製造方法を組み込んだリチウムイオン電池の単電池積層体を製造する製造方法を説明する。即ち、複数個の「循環移動する吸引盤付き受け台」（以下、「受け台」という）とそれにセパレータロールより下側セパレータ帯を繰り出す下側セパレータ帯繰り出し装置、並びにセパレータロールより上側セパレータ帯を繰り出す上側セパレータ帯繰り出し装置と繰り出した上側セパレータ帯を受ける上側セパレータ帯受け装置及び１個の移動する又は複数個の「循環移動する吸引盤付き押え板」（以下「押え板」という）、よりなる装置において、下側セパレータ帯繰り出し装置より自動的に繰り出された下側セパレータ帯を「受け台」Ａの上で吸引盤により吸引固定した状態で自動的に引き取り、下側セパレータ帯繰り出し装置と「受け台」Ａの間にできた間隔に「受け台」Ｂを自動的に挿入し、その状態で下側セパレータ帯を「受け台」Ｂの吸引盤により吸引固定した状態とし、この、下側セパレータ帯が「受け台」Ａ及び「受け台」Ｂの両方に吸引固定された状態で下側セパレータ帯を「受け台」Ａと「受け台」Ｂの間で自動的に切断し、「受け台」Ａの上に下側セパレータ帯が切断された下側セパレータ切断片を吸引固定した状態を作り、この上の所定の位置に電極板を自動的に置く操作を行うと同時に、これと並行して上側セパレータ帯繰り出し装置より上側セパレータ帯受け装置の上に自動的に繰り出された上側セパレータ帯を「押え板」で自動的に押さえ、この状態で上側セパレータ帯を上側セパレータ帯繰り出し装置と「押え板」との間で自動的に切断し、「押え板」の下に上側セパレータ帯が切断された上側セパレータ切断片を吸引固定した状態を作り、「押え板」を「受け台」Ａの上に自動的に移動してその上にある電極板と下側セパレータ切断片を上側セパレータ切断片と「押え板」が所定の位置で自動的に押える状態を作り、この、下側セパレータ切断片を吸引固定した「受け台」と上側セパレータ切断片を吸引固定した「押え板」で挟みこんだサンドイッチ状態の電極板（以下、「サンドイッチ状態の電極板」という）を、その状態を保持して自動的に移動させながら、電極板の縁の外側の上下のセパレータを自動的に熱接着し、電極板の縁の外側でセパレータの熱接着された部分又はその外側を自動的に切断し、さらに、余分なセパレータを自動的に除去する方法で作った袋入り電極板（正極板又は負極板）と相対する裸の電極板（負極板又は正極板）を交互に自動的に積層して積層型リチウムイオン電池の単電池積層体を製造することを特徴とするリチウムイオン電池の製造方法及びこの方法に基づく製造装置が、積層型リチウムイオン��池の単電池積層体を大量に製造するのに有効であることを見出した。【００１７】  本発明の意義は、先に述べたように、本発明で提案する袋入り電極板の新規な製造方法により製造した袋入り電極板（正極板又は負極板）と相対する裸の電極板（負極板又は正極板）を交互に積層して積層型リチウムイオン電池の単電池積層体を製造することにより、自己放電率効率が低い品質がよい大型積層型リチウムイオン電池のコストの安い大量生産が可能な製造技術及び製造装置を提供することにある。【００１８】  また、本発明は、自己放電率が低く寿命が長い「電気自動車用」に適した優れた大型積層型リチウムイオン電池を安いコストで大量生産する技術と装置を提供するものである。【００１９】  これらの特徴を可能にするために本発明の一形態として提案する袋入り電極板の新規な製造方法のポイントは、【００２０】１）袋入り電極板を製造する際の電極の上下に重ねる「セパレータ切断片」は、下側セパレータ切断片を「受け台」に、また、上側セパレータ切断片を「押え板」にそれぞれ吸引固定した状態で取扱うこと。【００２１】２）複数個の「循環移動する吸引盤付き受け台」（以下「受け台」という）及び複数個の「循環移動する吸引盤付き押え板」（以下「押え板」という）を使用すること。【００２２】３）下側セパレータ切断片を「受け台」に吸引固定する方法が、下側セパレータ帯繰り出し装置より繰り出された下側セパレータ帯を「受け台」Ａの上で吸引盤により吸引固定した状態で自動的に引き取り、下側セパレータ帯繰り出し装置と「受け台」Ａの間にできた間隔に「受け台」Ｂを自動的に挿入し、この状態で下側セパレータ帯を「受け台」Ａと「受け台」Ｂの間で自動的に切断し、「受け台」Ａの上に下側セパレータ切断片を吸引固定することであること。【００２３】４）上側セパレータ切断片を「押え板」に吸引固定する方法が、上側セパレータ帯繰り出し装置により上側セパレータ帯受け装置の上に繰り出された上側セパレータ帯を「押え板」で自動的に押さえ、この状態で上側セパレータ帯を上側セパレータ帯繰り出し装置と「押え板」との間で自動的に切断し、「押え板」の下に上側セパレータ切断片を吸引固定することであること。
なお、上側セパレータ帯受け装置は、ベルトコンベア、又は上側セパレータ帯の流れ方向に往復移動する吸引盤付き受け台が考えられるが、これらに限るものではない。【００２４】５）下側セパレータ切断片を吸引固定した「受け台」と上側セパレータ切断片を吸引固定した「押え板」で挟みこんだサンドイッチ状態の電極板（以下、「サンドイッチ状態の電極板」という）を作り、その状態を保持して移動させながら、袋入り電極板を製造するための加工工程を順次行うこと。即ち、「サンドイッチ状態の電極板」を、その状態を保持して移動させながら、電極板の縁の外側の上下のセパレータを自動的に熱接着し、電極板の縁の外側でセパレータの熱接着された部分又はその外側を自動的に切断し、さらに、余分なセパレータを自動的に除去すること。【００２５】により、袋入り電極板を製造する点にある。即ち、これら、５つの要素を組み合わせて初めて効率よく安定的に袋入り電極板を製造することを得ることを見出した。以下にそれぞれのポイントの意義や必要性を説明する。【００２６】  先ず、第１のポイントである『下側セパレータ切断片を「受け台」に、また、上側セパレータ切断片を「押え板」にそれぞれ吸引固定した状態で取扱うこと』は、袋入り電極板を製造する工程で、薄くて取り扱いの難しいセパレータを「確実に」「正確に」取扱う上で重要な役割を果たす。リチウムイオン電池ではセパレータとして、２０ミクロン〜４０ミクロンの厚みの多孔性ポリプロピレン膜又は多孔性ポリエチレン膜などが用いられる。また、本明細書の実施の形態で例示しているように、厚みの薄い多孔性ポリプロピレン膜又は多孔性ポリエチレン膜と２０ミクロン〜４０ミクロンの厚みのポリプロピレン製不織布又はポリエチレン製不織布などの２枚を重ね合わせて使用する場合もある。いずれの場合もセパレータは厚みが薄く取り扱いが難しい。このように厚みの薄いセパレータを「確実に」取扱う方法として『下側セパレータ切断片を「受け台」に、また、上側セパレータ切断片を「押え板」にそれぞれ吸引固定した状態で取扱うこと』を考案した。【００２７】  また、リチウムイオン電池の電極板も厚みが５０ミクロン〜３００ミクロンの薄くて剛性の低いもので、１０ミクロン〜３０ミクロンの厚みのアルミニウム（正極）又は銅（負極）の薄板の両面に電極剤（正極剤又は負極剤）を塗布したものであり、丁寧に取扱う必要がある。丁寧に取扱わないと塗布されている電極剤が欠け落ちてその小さな粒が自己放電を起こす原因となる。電極板を丁寧に取扱う上でも、厚みの薄いセパレータを「確実に」きちっとした平面状で取扱うことが大切である。【００２８】  さらに、厚みの薄いセパレータを「正確に」取扱うことも大切である。電極板の大きさは縦横１００ミリメートル〜２００ミリメートル程度であるが、袋入り電極板を製造する加工工程の中で「電極板の縁の外側の上下のセパレータを自動的に熱接着し、電極板の縁の外側でセパレータの熱接着された部分又はその外側を自動的に切断する」工程があり、そこでは０．１〜０．５ミリメートル程度の精度の位置決めが要求される。もしこの精度を甘くすると、電極板の大きさに対して袋入り電極板の大きさをより大きく設定することとなり、その分だけ、リチウムイオン電池の容積エネルギー密度が低くなる。
また、熱接着や切断の際の位置決めの正確さが不十分であると、場合によっては電極板を切断するなど歩留の低下を引き起こす虞もある。【００２９】  なお、熱接着や切断の際の位置決めを確実にするために、先ず、「押え板」の寸法を電極板の周囲に合わせたものとし、「押え板」に沿って電極板の周囲を熱接着し、また、切断するような機能を設けることは、装置の作業性を向上させる上で有効である。また、「受け台」の上の電極板の位置を検知して、これに合わせて電極板を抑えるよう微調整を行う機能を持たせることにより、熱接着や切断の際の位置決め不良による歩留の低下を防止することが出来る。【００３０】  さらに、熱接着機や切断機に電極板の位置を検知する装置を備え、都度切断機の位置を調整して切断することも試みたが、装置の作動速度が大幅に遅くなることがあった。「押え板」を採用することによりこのような問題も解決された。また、セパレータを熱接着した場合にセパレータが変形して不具合の原因となることもあったが、「押え板」の寸法を電極板の周囲に合わせたものとして、熱接着で変形するセパレータを押さえ込むことにより、この問題も解決された。【００３１】  第２のポイントである『複数個の「循環移動する吸引盤付き受け台」（以下「受け台」という）及び複数個の「循環移動する吸引盤付き押え板」（以下「押え板」という）を使用すること』は、本発明により袋入り電極板の大量生産を可能にした重要なポイントである。１個の「受け台」及び１個の「押え板」を使用して「電極板の縁の外側の上下のセパレータを自動的に熱接着し、電極板の縁の外側でセパレータの熱接着された部分又はその外側を自動的に切断する」ことも可能であるが、その場合は１枚の袋入り電極板を製造するための時間（タクトタイム）を短縮することが難しい。また、次に述べる本発明で考案した『下側セパレータ切断片を「受け台」に吸引固定する方法』が採用できない。【００３２】  複数個の「受け台」及び複数個の「押え板」を使用することにより、初めてタクトタイムを大幅に短縮することが可能となる。また、袋入り電極板の生産を連続して継続するためには、『複数個の「受け台」及び複数個の「押え板」を循環移動して使用すること』が必要であり、このことが、本発明の特徴の１つである。本明細書の「発明の実施の形態」では、複数個の「受け台」は、下側セパレータ切断片貼り付け部、電極板（正極板）供給部、電極板挟み込み部、セパレータ熱接着部、電極板周囲切断部、余剰セパレータ除去部、「押え板」取り外し部、単電池積層体積層部などの主な袋入り電極板製浩加工工程の流れに沿って「受け台」移動レールの上を、移動しながら袋入り電極板を製造し、最後の単電池積層体積層部で出来上がった袋入り電極板を「受け台」から取り出した後に、「受け台」は「受け台」移動レールの下を循環移動して最初の下側セパレータ切断片貼り付け部に戻る。また、複数個の「押え板」は、主な袋入り電極板製造加工工程の流れと並行してその上に設けられる上側セパレータ切断片貼り付け部から移動しながら加工工程を進み、電極板挟み込み部で「受け台」と合流して「受け台」と共に主な袋入り電極板製造加工工程の流れを進み、「押え板」取り外し部から主���袋入り電極板製造加工工程の流れの上を通って最初の上側セパレータ切断片貼り付け部に戻る。このように本明細書では、「受け台」は主な袋入り電極板製造加工工程の流れの下を、また、「押え板」は主な袋入り電極板製造加工工程の流れの上を循環移動する機構を採用しているが、これに限るものではなく、例えば、主な袋入り電極板製造加工工程の流れの左右の空間を利用して循環移動することもできる。【００３３】第３のポイントである『下側セパレータ切断片を「受け台」に吸引固定する方法』は、下側セパレータ帯繰り出し装置より繰り出された下側セパレータ帯を「受け台」Ａの上で吸引盤により吸引固定した状態で下側セパレータ帯繰り出し装置が繰り出す速度と合わせて自動的に引き取り、下側セパレータ帯繰り出し装置と「受け台」Ａの間にできた間隔に「受け台」Ｂを自動的に挿入し、次いで、下側セパレータ帯を「受け台」Ａと「受け台」Ｂの間で自動的に切断して、「受け台」Ａの上に下側セパレータ切断片を形成すると共に吸引固定した状態を作り出す。即ち、「受け台」Ａの上に『下側セパレータ切断片を吸引固定した「受け台」』を形成する。次に「受け台」Ｂは「受け台」Ａの役割を担い、新しい受け台」Ｂが循環移動してくる。このような操作を次々と循環移動してくる「受け台」の上で繰り返す。【００３４】  なお、この時、下側セパレータ帯を「受け台」Ｂの吸引盤により吸引固定した状態とし、この、下側セパレータ帯が「受け台」Ａと「受け台」Ｂの両方に吸引固定された状態で、下側セパレータ帯を「受け台」Ａと「受け台」Ｂの間で自動的に切断することも考えられる。このようにすることにより、より確実にこの工程を進めることが出来る。
本明細書の「発明の実施の形態」では、下側セパレーダ帯繰り出し装置として下側セパレータ帯繰り出しロールと下側セパレータ帯繰り出しベルトコンベアの組合せを示しているが、これに限るものではない。【００３５】  この方法の１つの特徴は、下側セパレータ帯を「受け台」Ａの上で吸引盤により吸引固定した状態で下側セパレータ帯繰り出しロールが繰り出す速度と合わせて自動的に引き取ることにより、下側セパレータ帯に常に適度の引っ張り力を掛けた状態を維持することができる点にある。適度の引っ張り力を掛けた状態を維持することにより、下側セパレータ帯にしわや歪が生じることなく、下側セパレータ帯は所定の形に切断されて「受け台」に吸引固定される。【００３６】『「受け台」Ａと「受け台」Ｂの間で下側セパレータ帯を所定の位置で切断すること』は、本発明の特許請求の要件である。ここで、『「受け台」Ａと「受け台」Ｂの間』について述べる。「下側セパレータ帯を所定の位置で切断する」ためには、切断刃の受け面が必要である。本明細書の「発明の実施の形態」では、「受け台」Ｂの右の端（右方向に加工工程が進むとして）を切断刃の受け面として切断しているが、「受け台」Ａの左の端で切断することもできる。さらに、「受け台」Ａと「受け台」Ｂの間に、切断するときのみ切断刃の受け面を設けて、切断することもできる。このように、『「受け台」Ａと「受け台」Ｂの間』は「受け台」Ｂの右の端から「受け台」Ａの左の端の間を意味する。
また、通常、切断する場所に切断刃の受け面が必要である。「受け台」のセパレータ帯切断機及び電極板周囲切断機を受ける面は「切断刃受け面」の役割を果たすよう、面の硬度、交換性などの設計面での配慮が必要である。【００３７】  また、「受け台」Ａと「受け台」Ｂを用いて『下側セパレータ切断片を「受け台」に吸引固定する方法』では、「受け台」Ａの上の下側セパレータ切断片の切断線を両方とも「受け台」Ａの縁の内側に作ることも出来る。それは、先ず、「受け台」Ａの左の端で切断し、次に「受け台」Ｂが次の「受け台」Ａとなる前に、「受け台」Ｂを少し右側にずらし、下側セパレータ帯の切断線を「受け台」Ｂの縁の内側に寄せた状態で、「受け台」Ｂが次の「受け台」Ａとなり、下側セパレータ帯を吸引固定して上に述べた操作を繰り返すことにより、「受け台」Ａの上の下側セパレータ切断片の切断線を両方とも「受け台」Ａの縁の内側に作ることが出来る。このことは、熱接着後の電極板周辺の切断と余剰セパレータの除去を省略して、「サンドイッチ状態の電極板」の電極板の上下のセパレータを熱接着するだけで袋入り電極板を作る場合には、余剰セパレータの部分を小さくできるので、価値が高い。【００３８】  第４のポイントである『上側セパレータ切断片を「押え板」に吸引固定する方法』としては、上側セパレータ帯繰り出し装置により上側セパレータ帯受け装置（ベルトコンベア）の上に繰り出された上側セパレータ帯を「押え板」で自動的に押さえ、この状態で上側セパレータ帯を上側セパレータ帯繰り出し装置と「押え板」との間で自動的に切断し、「押え板」の下に上側セパレータ切断片を吸引固定する方法を考案した。この状態で上側セパレータ切断片を吸引固定した「押え板」は上側セパレータ帯受け装置（ベルトコンベア）の上方に持ち上げて所定の場所に移動することとなる。
なお、上側セパレータ切断片を「押え板」に吸引固定する操作を安定化させるために、上側セパレータ帯受け装置としてのベルトコンベアに吸引盤を設けることも考えられる。また、本明細書の「発明の実施の形態」では、上側セパレータ帯繰り出し装置として、上側セパレータ帯受けベルトコンベアの上に接するロールを示しているが、これに限るものではない。【００３９】  さらに、上側セパレータ帯受けベルトコンベアの上での上側セパレータ帯の動きをより安定化するために、ベルトコンベアの長さを長くし、「押え板」Ａで上側セパレータ帯を押え、吸引固定した状態で、「押え板」Ａを上側セパレータ帯繰り出し装置及び上側セパレータ帯受け装置（ベルトコンベア）の動きに合わせて移動させて、上側セパレータ帯を引き取り、「押え板」Ａと上側セパレータ帯繰り出し装置の間の間隔にある上側セパレータ帯を新しい「押え板」Ｂで押さえ、この状態で上側セパレータ帯を「押え板」Ａと「押え板」Ｂの間で自動的に切断し、「押え板」Ａの下に上側セパレータ切断片を吸引固定する状態を形成することも考えられる。【００４０】  第５のポイントは、『下側セパレータ切断片を吸引固定した「受け台」と上側セパレータ切断片を吸引固定した「押え板」で挟みこんだサンドイッチ状態の電極板（以下、「サンドイッチ状態の電極板」という）を、この状態を保持して移動させながら、袋入り電極板を製造するための加工工程を順次行う』ことである。即ち、「サンドイッチ状態の電極板」をその状態を保持して移動させながら、電極板の縁の外側の上下のセパレータを自動的に熱接着し、電極板の縁の外側でセパレータの熱接着された部分又はその外側を自動的に切断し、さらに、余分なセパレータを自動的に除去して袋入り電極板を製造する。【００４１】  本明細書では、「サンドイッチ状態の電極板」を保持して移動する仕組みとして、「受け台」を「受け台」移動レールの上を移動させ、「押え板」は受け台移動レールの上に並行して設けられた押え板移動レールに吊った状態で移動させ、この時「押え板」を「受け台」にバネで押し付ける方法を採用している。この他にも、「サンドイッチ状態の電極板」を形成した後に、「受け台」移動レールの上を移動する「受け台」とこれと「サンドイッチ状態の電極板」を構成している「押え板」をクランプで固定する方法も考えられる。【００４２】  このように、『「サンドイッチ状態の電極板」をその状態を保持して移動させること』が、薄くて取り扱いの難しいセパレータと、取扱うときに損傷しやすい電極板とを、一般的に使用されている自動化装置で取扱うことを可能にした。      点が本発明の特徴の１つである。そして、『「サンドイッチ状態の電極板」を形成し、それを保持して移動させながら袋入り電極板を製造するための加工工程を順次行う』ことによりリチウムイオン電池の袋入り電極板を自動的に且つ効率的に製造することが可能となった。また、薄くて取り扱いの難しいセパレータと、取扱うときに損傷しやすい電極板とを優しく取扱う、『「サンドイッチ状態の電極板」をその状態を保持して移動させること』が、自己放電率の低い優れたリチウムイオン電池の大量生産に有効であることの所以であると考えられる。【００４３���  本発明では、袋入り電極板の新規な製造方法として、「サンドイッチ状態の電極板」をその状態を保持して移動させながら、電極板の縁の外側の上下のセパレータを自動的に熱接着し、電極板の縁の外側でセパレータの熱接着された部分又はその外側を自動的に切断し、さらに、余分なセパレータを自動的に除去することにより、袋入り電極板を製造する方法を提案しており、本明細書では、この方法を中心に説明している。【００４４】  本発明ではこの他に、袋入り電極板の新規な製造方法として、「サンドイッチ状態の電極板」をその状態を保持して移動させながら、電極板の縁の外側の上下のセパレータを自動的に先端の尖った熱コテ又は熱線を用いて熱接着すると同時に切断し、さらに、余分なセパレータを自動的に除去することにより、袋入り電極板を製造する方法を提案している。【００４５】  さらに、本発明では、袋入り電極板の新規な製造方法として、「サンドイッチ状態の電極板」をその状態を保持して移動させながら、電極板の縁の外側の上下のセパレータを自動的に熱接着することのみで、袋入り電極板を製造する方法も提案している。この場合は、セパレータ帯は、下側セパレータ切断片を「受け台」に吸引固定する際に、また、上側セパレータ切断片を「押え板」に吸引固定する際に、切断される。従って、電極板の縁の外側でセパレータの熱接着された部分又はその外側を切断し、さらに、余分なセパレータを除去することは不要となる。しかし、この場合は、袋入り電極板に残る余剰セパレータの幅が上に述べた方法と比べると大きくなるので、電気自動車用リチウムイオン電池に要求される、高い容積エネルギー密度を多少犠牲にすることとなると考えられる。【００４６】  本発明は自動車用の積層型リチウムイオン電池を工業的に大量生産する技術の開発を目指しているが、電気自動車用の場合、出来るだけ小さな容積に出来るだけ容量の大きい単電池積層体を収納することを要求される。つまり、重量エネルギー密度と共に容積エネルギー密度に対する要求も高い。本発明の製造方法で製造した袋入り電極板は切断した余剰セパレータを除去することを組み込むことにより、袋入り電極板の周囲のセパレータの熱接着部の寸法を１ｍｍ前後またはそれ以下と十分に小さくすることができるので、その分リチウムイオン電池の容積エネルギー密度の向上に寄与するものと考えられる。【００４７】  最後に、出来上がった袋入り電極板を「受け台」から取り出して、裸電極板供給部を備えた単電池積層体積層部に供給することにより、本発明の袋入り電極板製造工程は完結し、「サンドイッチ状態の電極板」と共に移動してきた「受け台」と「押え板」は、本発明で提案している受け台・押え板循環装置により循環移動する。【００４８】  最後の単電池積層体積層部において、この新規に開発した袋入り電極板製造方法により製造した袋入り電極板（正極又は負極）と相対する裸の電極板（負極又は正極）を積層装置で、交互に自動的に積層して単電池積層体を製造する。【００４９】  「受け台」、「押え板」、受け台・押え板循環装置、「受け台」の吸引盤の働き、「押え板」の吸引盤の働き、下側及び上側セパレータロール、下側セパレータ帯繰り出し装置、上側セパレータ帯繰り��し装置、上側セパレータ帯受け装置、下側及び上側セパレータ帯切断機、電極板（正極）供給機、熱接着機、電極板周囲切断機、余剰セパレータ除去機、裸電極板（負極板）供給機、積層体積層機などの動きは、完全に連動する電気的な又は機械的な仕組みにより制御され、間歇的且自動的に作動する。【００５０】本発明のコアであるセパレータ製袋入り電極板の製造方法は、積層型リチウムイオン電池の単電池積層体を効率よく大量生産するために開発されたものである。それは、ここまでに述べたように、リチウムイオン電池のセパレータ、電極板及び単電池積層体の特性に、特にセパレータと電極板の特性に、合わせて開発されている。結果的に、本発明の方法で作られる単電池積層体よりなる積層型リチウムイオン電池は、自己放電率が低い優れた品質のリチウムイオン電池である。
【発明の効果】
【００５１】  本発明は、電気自動車用、緊急電力用、夜間電力貯蔵用など大型のリチウムイオン電池に適した積層型リチウムイオン電池の心臓部に当たる正極板、セパレータ、負極板を積層して作る単電池積層体を大量に、効率よく製造するための製造技術及び製造装置を提供する。【００５２】  本発明の方法で作られる単電池積層体よりなる積層型リチウムイオン電池は、自己放電率が低い優れた品質のリチウムイオン電池であり、本発明により、積層型リチウムイオン電池の大量生産が可能となり、また製造時の歩留もよいこともあって、自動車用大型リチウムイオン電池について広く要望されている低コスト化の実現が期待される。
【発明を実施するための最良の形態】
【００５３】  本発明に基づく袋入り電極板及び単電池積層体の製造装置の２つの例の全体概略図を図１及び図２に示す。【００５４】  図１は装置のタクトタイムを短縮するために、本発明の基本である「循環移動する吸引盤付き受け台」（以下「受け台」という）と「循環移動する吸引盤付き押え板」（以下「押え板」という）の数を多くした例を示している。図２は装置のタクトタイムを多少犠牲にして、「受け台」と「押え板」の数を少なくした例を示している。この例は、セパレータ挟み込み部と電極板周囲切断部が合体しており、この部分については、請求項２の電極板の縁の外側を先端の尖った熱コテ又は熱線を用いて熱接着すると同時に切断する場合に対応している。いずれも、「受け台」を主な袋入り電極板製造ラインの下を循環移動させ、「押え板」を主な袋入り電極板製造ラインの上を循環移動させる方法を採用している。しかし本発明の実施の形態はこれらに限るものではなく、「受け台」及び「押え板」を主な袋入り電極板製造ラインの左右を循環移動する方法も考えられる。【００５５】  この説明は、図１に従って詳細に行い、図２については図１と異なる部分のみ説明する。図１（ａ）は、上側セパレータ切断片貼り付け部９２の立面図、（ｂ）は、上側セパレータ切断片貼り付け部９２の平面図を示し、図１（ａ）立面図は図１（ｂ）平面図のＡＡ’断面を示す。図１（ｃ）は、主な袋入り電極板製造ライン（下側セパレータ切断片貼り付け部９１、電極板（正極板）供給部９３、電極板挟み込み部９４、セパレータ熱接着部９５、電極板周囲切断部９６、余剰セパレータ除去部９７、押え板取り外し部９７’及び単電池積層体積層部９９（裸電極供給部９８を含む））の立面図、（ｄ）は、袋入り電極板製造ラインの平面図を示し、図１（ｃ）立面図は図１（ｄ）平面図のＢＢ’断面を示す。【００５６】  図１（ｅ）は、受け台・押え板循環移動装置７１の立面図を示し、図１（ｂ）及び（ｄ）の受け台・押え板循環移動装置７１のＡＡ’断面及びＢＢ’断面について、「受け台」及び「押え板」を中心に表示し、これらの動きが分かり易いように示している。【００５７】  図３〜図６は、立面図及び平面図で装置の主要な要素を全て表示し、袋入り電極板の製造過程及び単電池積層体の製造過程を説明するものである。【００５８】  図３〜図６の（ａ）は立面図を、（ｂ）は、平面図を示す。立面図は平面図のＢＢ’面の断面図を示す。立面図は、主に装置の位置関係を表すように示している。電極板移動機、熱接着機、切断機などは実際の大きさや形を示すものではなく、それぞれの機能を有する機器がその位置にあって、それぞれの機能を果たすことを示している。平面図は、立面図のＡＡ’面を中心に上から見た図で、上下のセパレータ及び電極板の部分を「受け台」の上面を中心に表示している。【００５９】  また、図７〜図１０は、図３〜図７の立面図のみを拡大し、下側セパレータと上側セパレータ及び電極板が袋入り電極板に加工される様子を示すものである。ただし、セパレータと電極板の厚みは、縦横の寸法に対して相対的に大幅に大きく表示して図面で判別できるようにしている。また、セパレータ切断線２１、セパレータ熱接着部２２及びセパレータ切断線（電極���周辺）２３及び余剰セパレータ部２４も縦横の寸法に対して相対的に大幅に大きく表示している。それは、本特許の主役である、電極板及びセパレータの動きを出来るだけ分かり易くするためである。【００６０】  図１１は、下側セパレータ切断片と上側セパレータ切断片及び電極板から本発明の方法で袋入り電極板が製造される過程を「受け台」及び「押え板」を取り除いた形で示し、製造の過程を分かりやすくしたものである。【００６１】  図１１（ａ）は、図１１（ｂ）のＢＢ’面の断面図を示し、図１１（ｂ）は、図１１（ａ）のＡＡ’面を上から見た平面図を示す。図１１（１）は縦方向に電極板（正極板）供給部９３を、以下同様に、図１１（２）は、電極板挟み込み部９４を、図１１（３）は、電極板挟み込み部９４の「受け台」及び「押え板」を取り除いた形を、図１１（４）は、セパレータ熱接着部９５の「受け台」及び「押え板」を取り除いた形を、図１１（５）は、電極板周囲切断部９６の「受け台」及び「押え板」を取り除いた形を、図１１（６）は、余剰セパレータ除去部９７の余剰セパレータ除去された後で「受け台」及び「押え板」を取り除いた形、即ち、袋入り電極板１６を示す。【００６２】  図１２（ａ）、（ｂ）、（ｃ）は、電極板１１を、また、図１２（ｄ）、（ｅ）、（ｆ）は、袋入り電極板１６の詳細を示す。【００６３】  図１２（ａ）は電極板１１の平面図を、図１２（ｂ）は、図１２（ａ）のＩＩ’断面を、図１２（ｃ）は、図１２（ａ）のＪＪ’断面を示す。ここで、電極板１１は、電極合剤を導電体（アルミニウム又は銅の薄板）の両面に塗布した「電極板の電極材を塗布した部分」４１と「電極板の耳」４２（導電体の電極材を塗布していない部分で、電極板から電気を取り出すための部分）で構成される。【００６４】  図１２（ｄ）は、袋入り電極板１６の平面図を、図１２（ｅ）は、図１２（ｄ）のＫＫ’断面を、図１２（ｆ）は、図１２（ｄ）のＬＬ’断面を示す。ここで、袋入り電極板１６は、電極板１１（「電極板の電極材を塗布した部分」４１と「電極板の耳」４２よりなる）とセパレータ袋４５で構成される。なお、図１２（ｄ）、（ｅ）及び（ｆ）に、袋入り電極板１６のセパレータ袋４５の熱接着部２２及びセパレータ切断線（電極板周辺）２３を示してある。【００６５】  図１３は、本発明に基づく袋入り電極板１６（正極板）と相対する裸電極板１７（負極板）を組み込んだ単電池積層体１８を示す。図１３（ａ）は単電池積層体１８の平面図を、図１３（ｂ）は、図１３（ａ）のＩＩ’断面を、図１３（ｃ）は、図１３（ａ）のＪＪ’断面を示す。ここで、単電池積層体１８の構成要素は、正極板の電極材を塗布した部分４６（袋入り正極板のもの）、負極板の電極材を塗布した部分４７（裸負極板のもの）、セパレータ袋４５（袋入り正極板に付いているもの）、正極板の耳４３（袋入り正極板のもの）及び負極板の耳４４（裸負極板のもの）である。この他、図１３には、セパレータが加工されたセパレータ熱接着部２２及びセパレータ切断線（電極板周辺）２３を表示している。【００６６】  最初に、図１及び図２により、受け台・押え板循環移動装置７１の中で「循環移動する吸引盤付き受け台１」（以下、「受け台」１という��（「受け台」１−１〜１−１１を総称した表示）及び「循環移動する吸引盤付き抑え板２」（以下、「押え板」２という）（「押え板」２−１〜２−７を総称した表示）の動きを中心に説明する。【００６７】  以下の説明では、「受け台」１−１が「受け台」１−１〜１−９の位置を、また、「押え板」２−１が「押え板」２−１〜２−７の位置を図面の右方向に移動しながら、電極板が袋入り電極板に加工される過程を説明する。さらに、「受け台」１−１は、「受け台」１−１０と１−１１の位置を経て「受け台」１−１の位置に、また、「押え板」２−１は、「押え板」２−７と２−８の位置を経て「押え板」２−１の位置に循環移動して戻る。従って、以下の説明の中での加工の操作に実際に関与するのは、「受け台」１−１及び「押え板」２−１である。なお、「受け台」１−１の次には「受け台」１−１１の位置にあった「受け台」１が「受け台」１−１と同じ過程を進み循環移動することとなる。同様に、「押え板」２−１の次には「押え板」２−８が「押え板」２−１と同じ過程を進み循環移動することとなる。このように複数個の「受け台」１及び「押え板」２を備えた装置により、原理的には無限に袋入り電極板を製造することができる。【００６８】  そこで、説明の煩雑さを避けるために、便宜的に、「受け台」１について、『「受け台」１−１』（『「受け台」１−１の位置にある「受け台」１−１』を意味する）、『「受け台」１−２』（『「受け台」１−２の位置にある「受け台」１−１』を意味する）などの表示を用いる。また、「押え板」２についても、『「押え板」２−１』（『「押え板」２−１の位置にある「押え板」２−１』を意味する）、『「押え板」２−２』（『「押え板」２−２の位置にある「押え板」２−１』を意味する）などの表示を用いる。【００６９】  先ず、図１（ｃ）、（ｄ）及び（ｅ）で、「受け台」１の動きを説明する。【００７０】  「受け台」１−１は、「受け台」１−１〜１−９の位置を「受け台」移動レール７２の上を順次図１（ｅ）の矢印ａに沿って右に移動し、主な袋入り電極板の製造ラインを構成する以下の加工工程の加工操作を、「受け台」１−１の上で受けながら進む。主な袋入り電極板の製造ラインは、最初の下側セパレータ切断片貼り付け部９１（『「受け台」１−１』及び『「受け台」１−２』）（ここで、下側セパレータ切断片を吸引盤で吸引固定した状態を作る）から始まり、以下、電極板（正極板）供給部９３（『「受け台」１−３』）、電極板挟み込み部９４（『「受け台」１−４』）、セパレータ熱接着部９５（『「受け台」１−５』）、電極板周囲切断部９６（『「受け台」１−６』）、余剰セパレータ除去部９７（『「受け台」１−７』）を経て、押え板取り外し部９７’（『「受け台」１−８』）で終わるが、この間を「受け台」１−１が移動する間に、袋入り電極板が「受け台」１−１の上に自動的に形成される。そして、出来上がった袋入り電極板（正極板）は、『「受け台」１−９』から単電池積層体積層部９９に移され、ここで、裸電極板（負極板）供給部９８から供給される相対する裸電極板（負極板）と交互に積層することにより単電池積層体を自動的に製造する。空になった『「受け台」１−９』は、受け台昇降機Ｂ７５により図１（ｅ）の矢印ｂに沿って下降し、『「受け台」１−１０』を経て、受け台戻りレール７３の上を図１（ｅ）の矢印ｃに沿って『「受け台」１−１１』に戻り、ここで受け台昇降機Ａ７４により図１（ｅ）の矢印ｄに沿って上昇し、『「受け台」１−１』に戻る。本発明の受け台・押え板循環移動装置７１のシステムでは、複数個の「受け台」１をこのように循環移動させる。【００７１】  次に、図１（ａ）、（ｂ）、（ｃ）、（ｄ）及び（ｅ）により、「押え板」２の動きを説明する。【００７２】  押え板」２−１は、先ず、押え板戻りレールで循環移動して戻ってきた『「押え板」２−８』（（『「押え板」２−８の位置にある「押え板」２−１』を意味する）が、押え板昇降機Ａ７９で図１（ａ）及び（ｅ）の矢印ｅに沿って、上側セパレータ切断片貼り付け部９２（『「押え板」２−１』）に下がってきて『「押え板」２−１』となる。ここで、「押え板」２−１が上側セパレータ切断片を吸引盤で吸引固定した状態を作った後に、再度、押え板昇降機Ａ７９で押え板移動レールＡ７６の高さまで図１（ａ）及び（ｅ）の矢印ｆに沿って持ち上げ、次いで押え板移動レールＡ７６に吊り下げた状態で電極板挟み込み部９４（『「受け台」１−４』『「押え板」２−３』）の上まで図１（ａ）（ｃ）及び（ｅ）の矢印ｇに沿って移動して、『「押え板」２−２』となる。次に、『「押え板」２−２』は、電極板挟み込み部９４の『「受け台」１−４』（下側セパレータ切断片を吸引固定した上に電極板を所定の位置に置いた状態の「受け台」１−１）の上に、押え板昇降機Ｂ８０で図１（ａ）、（ｃ）及び（ｅ）の矢印ｈに沿って下降し、『「押え板」２−３』となる。ここで、電極板を、下側セパレータ切断片を吸引した状態の『「受け台」１−４』と上側セパレータ切断片を吸引した状態の『「押え板」２−３』で挟み込んだ状態が出来上がる。即ち、「サンドイッチ状態の電極板」が出来上がる。【００７３】  「押え板」２−１は、「受け台」１−１と共に、「サンドイッチ状態の電極板」を保持したまま、主な袋入り電極板の製造ラインを、図１（ｅ）の矢印ｉに沿って右に移動し、セパレータ熱接着部９５（『「受け台」１−５』；『「押え板」２−４』）、電極板周囲切断部９６（『「受け台」１−６』；『「押え板」２−５』）、余剰セパレータ除去部９７（『「受け台」１−７』；『「押え板」２−６』）を経て、押え板取り外し部９７’（『「受け台」１−８』；『「押え板」２−７』）まで移動する。この間に上で述べたように、袋入り電極板が出来上がる。『「押え板」２−７』は押え板取り外し部９７’で押え板昇降機Ｃ８１により図１（ａ）、（ｃ）及び（ｅ）の矢印ｊに沿って上昇し、次いで押え板戻りレール７８により図１（ａ）、（ｃ）及び（ｅ）の矢印ｋに沿って移動して『「押え板」２−８』となって、「押え板」２の循環が完結する。【００７４】  図２では、図２「受け台」１−２に、図１「受け台」１−２（下側セパレータ切断片貼り付け部９１）と図１「受け台」１−３（電極板（正極板）供給部９３）の役割を担わせ、また、図２「受け台」１−４と図２「押え板」２−４に、図１「受け台」１−５と図１「押え板」２−４の役割（セパレータ熱接���部９５）及び図１「受け台」１−６と図１「押え板」２−５の役割（電極板周囲切断部９６）を担わせ、さらに、図２「受け台」１−５と図２「押え板」２−５に、図１「受け台」１−７と「押え板」２−６の役割（余剰セパレータ除去部９７）及び図１「受け台」１−８と図１「押え板」２−７の役割（押え板取り外し部９７’）を担わせている。【００７５】  ここで、図１１により、本発明の方法で袋入り電極板を製造する際の電極板と上下のセパレータが袋入り電極板に加工される様子を説明する。【００７６】  先ず、図１１（１）（電極板供給部９３）の「押え板」２−２は、上側セパレータ切断片１５を押え板吸引盤８３で吸引固定した状態であり、図１１（１）の「受け台」１−４は、下側セパレータ切断片１４を「受け台」吸引盤８２で吸引固定した状態である。この上から電極板１１（正極板）が、「受け台」１−４に置かれる前の状態を示している。なお、実際は「押え板」２−２は、この後の図１１（２）の段階で「受け台」１−５の上に来るが、本発明の仕組みを理解しやすいようにここで表示してある。図１１（２）（電極板挟み込み部９４）では、上側セパレータ切断片１５を吸引固定した「押え板」２−３と下側セパレータ切断片１４を吸引固定した「受け台」１−５で電極板１１を挟み込んだ状態、即ち、「サンドイッチ状態の電極板」を示す。図１１（３）は、図１１（２）の「サンドイッチ状態の電極板」から「受け台」及び「押え板」を取り除いた形を示しており、電極板１１を上側セパレータ切断片１５と下側セパレータ切断片１４で挟み込んだ状態を示している。「受け台」及び「押え板」を用いることにより、この『電極板１１を上側セパレータ切断片１５と下側セパレータ切断片１４で挟み込んだ状態』を保持して以下の袋入り電極板を作る加工工程を行うことが、本発明の特徴の一つである。以下、「サンドイッチ状態の電極板」は、図１１（４）（セパレータ熱接着部９５）で、熱接着機５８により電極板の外周に沿ってセパレータ熱接着部２２の部分を熱接着され、図１１（５）（電極板周囲切断部９６）で、電極板周囲切断機５９により電極板の外周に沿ってセパレータ切断線（電極板周辺）２３を切断され、図１１（６）（余剰セパレータ除去部９７）で、余剰セパレータ除去機６０により余剰セパレータ２４を除去されて、袋入り電極板１６を得る。【００７７】  図３及び図７により、下側セパレータ切断片貼り付け部９１及び電極板供給部９３について説明する。【００７８】  先ず、下側セパレータ切断片貼り付け部９１について説明する。この工程では、下側セパレータ切断片１４が「受け台」１に吸引固定された状態となる。【００７９】  下側セパレータ帯ロールＢ３１（不織布）及び下側セパレータ帯ロールＡ３２より供給される下側セパレータ帯１２を下側セパレータ帯繰り出し装置で『「受け台」１−１』の上に繰り出す。繰り出された下側セパレータ帯１２（端部を所定の位置で切断されている）は、受け台吸引盤８２で「受け台」１−１に吸引固定された状態で、「受け台」１−１は下側セパレータ帯繰り出し装置（下側セパレータ帯繰り出しロール５１及び下側セパレータ帯繰り出しベルトコンベア５２）の動きと合わせて受け台移動レール７２の上を「受け台」１−２の位置まで下側セパレータ帯１２を引き取るように移動する。この状態では、下側セパレータ帯は下側セパレータ帯繰り出し装置と『「受け台」１−２』とに適度の張力で引っ張られ、「受け台」１−１の位置に次の「受け台」１−１１が入れるだけの間隔が開いた形となっている。ここに、受け台・押え板循環移動装置７１で循環移動してきた「受け台」１−１１が受け台昇降機Ａ７４で移動して来る。「受け台」１−１１は次の「受け台」１−１となる。【００８０】  この状態で、受け台吸引盤８２で下側セパレータ帯１２を「受け台」１−１の位置にある「受け台」１−１１に吸引固定する。この時、下側セパレータ帯１２は「受け台」１−１の位置にある「受け台」１−１１と『「受け台」１−２』の両方に吸引固定された状態となる。この二つの「受け台」で吸引固定された状態で、下側セパレータ帯切断機５３で下側セパレータ帯１２を図３（ａ）、図３（ｂ）及び図７に示すセパレータ切断線２１の処で切断し、『「受け台」１−２』の上に下側セパレータ切断片１４が吸引固定された状態ができる。この状態で、「受け台」１−１は、受け台移動レール７２の上を「受け台」１−３の位置まで移動し、次の電極板供給部９３に入る。【００８１】  なお、ここでは、下側セパレータ帯繰り出し装置として、下側セパレータ帯繰り出しロール５１及び下側セパレータ帯繰り出しベルトコンベア５２を組合せた装置を採用しているが、これに限るものではない。また、本装置をスタートする時に、「受け台」１−１の上に繰り出される下側セパレータ帯１２の端部は、所定の位置で切断されているものとする。【００８２】次に、電極板供給部９３について説明する。この工程では、「受け台」１に吸引固定された下側セパレータ切断片１４の上に電極板１１（正極板）が置かれた状態となる。【００８３】  電極板１１は図３（ｂ）に示す電極板（正極板）供給ケース３５から電極板（正極板）供給機５７で『「受け台」１−３』に吸引固定されている下側セパレータ切断片１４の上の所定の位置に正確に置かれる。「受け台」１−１は下側セパレータ切断片１４を吸引固定し、電極板１１を所定の位置に置いた状態で、受け台移動レール７２の上を「受け台」１−４の位置の電極板挟み込み部９４に移動する。【００８４】  なお、電極板（正極板）供給ケース３５は、図３（ｂ）に示す電極板（正極板）供給ケース供給口８４から矢印ｍ及び矢印ｎを経て供給される。空となった電極板（正極板）供給ケース３５は、図３（ｂ）に示す矢印ｏ及び矢印ｐを経て、電極板（正極板）供給ケース（空）出口８５から取り出される。【００８５】図４及び図８により、上側セパレータ切断片貼り付け部９２について説明する。この工程では、上側セパレータ切断片１５が「押え板」２に吸引固定された状態になる。【００８６】上側セパレータ帯ロールＡ３３及び上側セパレータ帯ロールＢ（不織布）３４より供給される上側セパレータ帯１３を上側セパレータ帯繰り出し装置である上側セパレータ帯繰り出しロール５４で上側セパレータ帯受け装置である上側セパレータ帯繰り出しベルトコンベア５５の上に繰り出す。【００８７】  次いで繰り出された上側セパレータ帯１３（端部を所定の��置で切断されている）は、「押え板」２−１の位置まで上側セパレータ帯繰り出しベルトコンベア５５の上で繰り出し、「押え板」２−８の位置にあった「押え板」２−１（『「押え板」２−８』）が、受け台・押え板循環移動装置７１の押え板昇降機Ａ７９で、図４（ａ）及び図８の矢印ｅに沿って下降し、上側セパレータ帯１３を押える。この状態で、上側セパレータ帯１３は押え板吸引盤８３で『「押え板」２−１』に吸引固定され、次いで、上側セパレータ帯切断機５６により、図４（ａ）、（ｂ）及び図８に示すセパレータ切断線２１の処を切断され、『「押え板」２−１』が上側セパレータ切断片１５を吸引固定した状態が出来上がる。上側セパレータ切断片を吸引固定した状態で、「押え板」２−１は受け台・押え板循環移動装置７１の押え板昇降機Ａ７９で、図４（ａ）及び図８の矢印ｆに沿って上昇し、次いで、押え板移動レールＡ７６で、図４（ａ）及び図８の矢印ｇに沿って移動し、『「押え板」２−２』となる。なお、本装置をスタートする時に、「押え板」２−１の下に繰り出される上側セパレータ帯１２の端部は、所定の位置で切断されているものとする。【００８８】  次に、「押え板」２−１は、押え板昇降機Ｂ８０で、図４（ａ）及び図８の矢印ｈに沿って下降し、電極板挟み込み部９４の『「受け台」１−４』の上の『「押え板」２−３』となる。電極板挟み込み部９４は、図５及び図９により説明する。【００８９】  ここで、セパレータについて説明する。一般にリチウムイオン電池用のセパレータとしては、多孔性ポリエチレン膜又は多孔性ポリプロピレン膜が使用される。また、これらの多孔性膜と併用して、ポリエチレン製不織布又はポリプロピレン製不織布を２枚重ねで使用する場合もある。【００９０】  ここで説明する本発明の一形態では、このように多孔性膜と不織布を２枚重ねで使用する場合にも対応できるように工夫している。勿論、多孔性膜のみ１枚をセパレータとして使用する場合にも対応できる。その場合は、下側セパレータ帯ロールＢ３１（不織布）及び上側セパレータ帯ロールＢ３４（不織布）は不要となる。なお、多孔性膜と不織布を２枚重ねで使用する場合は、「受け台」１の受け台吸引盤８２の面及び「押え板」２の押え板吸引盤８３の面に不織布が接するように配置して吸引盤が不織布を通して多孔性膜も吸引できるように配置することが必要である。【００９１】  図５及び図９により、電極板挟み込み部９４、セパレータ熱接着部９５、電極板周囲切断部９６、余剰セパレータ除去部９７及び押え板取り外し部９７’について説明する。これらの工程が、電極板とセパレータを袋入り電極板に加工する主な加工ラインを構成しており、ここで袋入り電極板が出来上がる。図５（ａ）及び図９には、受け台移動レール７１は表示されているが、図面が錯綜するのを避けるために押え板移動レールＢ７６の表示は省略されている。【００９２】  電極板挟み込み部９４の操作は、図５（ａ）、（ｂ）及び図９の『「受け台」１−４』及び『「押え板」２−３』で行われ、「サンドイッチ状態の電極板」が得られる。【００９３】  『「受け台」１−４』に吸引固定されている下側セパレータ切断片１４の上の所定の位置に置かれた電極板１１（正極板）��上から上側セパレータ切断片１５を吸引固定した『「押え板」２−２』が、押え板昇降機Ｂ８０で下降してきて『「押え板」２−３』となり、『「受け台」１−４』と『「押え板」２−３』で「サンドイッチ状態の電極板」を形成する。「サンドイッチ状態の電極板」は、上から『「押え板」２−３』、上側セパレータ切断片１５、電極板１１（正極板）、下側セパレータ切断片１４、『「受け台」１−４』がサンドイッチ状態に積み重なったものであり、本発明の特徴は、この「サンドイッチ状態の電極板」の状態を保持して移動させ、袋入り電極板を作るための加工を行う点にある。「サンドイッチ状態の電極板」を構成する「受け台」１−１及び「押え板」２−１は次のセパレータ熱接着部９５へ受け台移動レール７１及び押え板移動レールＢ７６に挟まれた形で移動する。【００９４】  セパレータ熱接着部９５の加工は、図５（ａ）、（ｂ）及び図９の『「受け台」１−５』及び『「押え板」２−４』で行われ、電極板の周囲の電極板の上下にあるセパレータを熱接着機５８で熱接着する。熱接着される場所は、図５（ａ）、（ｂ）及び図９のセパレータ熱接着部２２に示されている。熱接着の終わった「サンドイッチ状態の電極板」は、次の電極板周囲切断部９６へ移動する。【００９５】  電極板周囲切断部９６の加工は、図５（ａ）、（ｂ）及び図９の『「受け台」１−６』及び『「押え板」２−５』で行われ、電極板の周囲の電極板の上下にあるセパレータの熱接着された部分又はその外側を電極板周囲切断機５９で切断する。切断される場所は、図５（ａ）、（ｂ）及び図９のセパレータ切断線（電極板周囲）２３に示されている。電極板周囲のセパレータ切断が終わった「サンドイッチ状態の電極板」は、次の余剰セパレータ除去部９７へ移動する。【００９６】  余剰セパレータ除去部９７の加工は、図５（ａ）、（ｂ）及び図９の『「受け台」１−７』及び『「押え板」２−６』で行われ、前工程の電極板周囲の切断でできた余剰セパレータ２４を余剰セパレータ除去機６０で除去し、袋入り電極板１６が出来上がる。除去される余剰セパレータは、図５（ａ）、（ｂ）及び図９の『「受け台」１−６』及び『「押え板」２−５』に示されている余剰セパレータ部２４であり、『「受け台」１−７』及び『「押え板」２−６』では、余剰セパレータ部２４が除去されたあとの姿、即ち、袋入り電極板１６を示している。加工工程を終わった「サンドイッチ状態の電極板」は、最後の押え板取り外し部９７’へ移動する。【００９７】  最後の押え板取り外し部９７’の操作は、図５（ａ）、（ｂ）及び図９の『「受け台」１−８』及び『「押え板」２−７』で行われ、『「押え板」２−７』は押え板吸引盤８３による吸引を止めて押え板昇降機Ｃ８１によって引き上げられ、『「受け台」１−８』の上に袋入り電極板１６が残った状態となり、その状態で受け台移動レール７２に沿って次の単電池積層体積層部９９へ移動し、『「受け台」１−９』となる。【００９８】  図６及び図１０により、単電池積層体積層部９９について説明する。ここで、前工程で作られた袋入り電極板１６（正極板）と相対する裸電極板１７（負極板）を交互に積層して、単電池積層体１８を製造する。【００９９】  図６（ａ��、（ｂ）及び図１０の『「受け台」１−９』の上にある袋入り電極板１６（正極板）を袋入り電極板移動機６２で図６（ａ）及び図１０に示す矢印ｕ、矢印ｖ及び矢印ｗの経路で、単電池積層体受けケース３９へ移動する。これと並行して且これと交互に、図６（ｃ）の相対する裸電極板（負極板）供給ケース３７より裸電極板供給機６１により相対する裸重極板１７（負極板）を図６（ｃ）に示す矢印ｘ、矢印ｙ及び矢印ｚの経路で、単電池積層体受けケース３９へ移動することにより、単電池積層体１８を形成する。【０１００】このとき、相対する裸電極板（負極板）供給ケース３７は、相対する裸電極板（負極板）供給ケース供給口８６より図６（ｂ）に示す矢印ｍ’及び矢印ｎ’を経て供給される。空となった、相対する裸電極板（負極板）供給ケース３７（空）は、矢印ｏ’及び矢印ｐ’を経て、相対する裸電極板（負極板）供給ケース（空）出口８５から取り出される。また、単電池積層体受けケース３９は、図６（ｂ）に示す単電池積層体受けケース供給口８８から矢印ｑの経路で単電池積層体積層部９９に供給され、出来上がった単電池積層体１６が入った単電池積層体受けケース３９（充）は、図６（ｂ）に示す矢印ｒ及び矢印ｓの経路で単電池積層体受けケース（充）出口８９より持ち出される。【０１０１】なお、袋入り電極板製造装置の製造能力と単電池積層体製造装置の製造能力がうまく適合しない場合は、単電池積層体受けケース３９の場所に袋入り電極板受けケース３６を置き、単電池積層体製造は袋入り電極板の製造と切り離して行うことも考えられる。
【図面の簡単な説明】
【０１０２】
【図１】袋入り電極及び単電池積層体製造装置の全体図（その１）
【図２】袋入り電極及び単電池積層体製造装置の全体図（その２）
【図３】下側セパレータ切断片貼り付け部、電極板供給部及び電極板挟み込み部詳細図
【図４】上側セパレータ切断片貼り付け部詳細図
【図５】電極板挟み込み部、セパレータ熱接着部、電極板周囲切断部、余剰セパレータ除去部及び押え板取り外し部詳細図
【図６】単電池積層体製造装置詳細図
【図７】下側セパレータ切断片貼り付け部、電極板供給部及び電極板挟み込み部詳細図の断面図拡大図
【図８】上側セパレータ切断片貼り付け部詳細図の断面図拡大図
【図９】電極板挟み込み部、セパレータ熱接着部、電極板周囲切断部、余剰セパレータ除去部及び押え板取り外し部詳細図の断面図拡大図
【図１０】単電池積層体製造装置詳細図の断面図拡大図
【図１１】袋入り電極板製造装置内での袋入り電極板が製造される過程示す概念図
【図１２】電極板及び袋入り電極板の概念図
【図１３】単電池積層体の概念図
【符号の説明】
【０１０３】符号は全図面について共通である。
１：吸引盤付き受け台
２：吸引盤付き押え板
１１：電極板（正極板）
１２：下側セパレータ帯
１３：上側セパレータ帯
１４：下側セパレータ切断片
１５：上側セパレータ切断片
１６：袋入り電極板
１７：相対する裸電極板（負極板）
１８：単重池積層体
２１：セパレータ切断線
２２：セパレータ熱接着部
２３：セパレータ切断線（電極板周辺）
２４：余剰セパレータ部
３１：下側セパレータ帯ロールＢ（不織布）
３２：下側セパレータ帯ロールＡ
３３：上側セパレータ帯ロールＡ
３４：上側セパレータ帯ロールＢ（不織布）
３５：電極板（正極板）供給ケース
３６：袋入り電極板（正極板）受けケース
３７：相対する裸電極板（負極板）供給ケース
３９：単電池積層体受けケース
４１：電極板の電極材を塗布した部分
４２：電極板の耳（電極板の電極材を塗布していない部分で、電極板から電気を取り出すための部分）
４３：正極板の耳（袋入り正極板のもの）
４４：負極板の耳（裸負極板のもの）
４５：セパレータ袋（袋入り正極板に付いているもの）
４６：正極板の電極材を塗布した部分（袋入り正極板のもの）
４７：負極板の電極材を塗布した部分（裸負極板のもの）
５１：下側セパレータ帯繰り出しロール（下側セパレータ帯繰り出し装置）
５２：下側セパレータ帯繰り出しベルトコンベア（下側セパレータ帯繰り出し装置）
５３：下側セパレータ帯切断機
５４：上側セパレータ帯繰り出し装置（上側セパレータ帯繰り出しロール）
５５：上側セパレータ帯受けベルトコンベア
５６：上側セパレータ帯切断機
５７：電極板（正極板）供給機
５８：熱接着機
５９：電極板周囲切断機
６０：余剰セパレータ除去機
６１：裸電極板（負極板）供給機
６２：積層機
７１：受け台・押え板循環移動装置
７２：受け台移動レール
７３：受け台戻りレール
７４：受け台昇降機Ａ
７５：受け台昇降機Ｂ
７６：押え板移動レールＡ
７７：押え板移動レールＢ
７８：押え板戻りレール
７９：押え板昇降機Ａ
８０：押え板昇降機Ｂ
８１：押え板昇降機Ｃ
８２：受け台吸引盤
８３：押え板吸引盤
８４：電極板（正極板）供給ケース供給口
８５：電極板（正極板）供給ケース（空）出口
８６：相対する裸電極板（負極板）供給ケース供給口
８７：相対する裸電極板（負極板）供給ケース（空）出口
８８：単電池積層体受けケース供給口
８９：単電池積層体受けケース（充）出口
９１：下側セパレータ切断片貼り付け部
９２：上側セパレータ切断片貼り付け部
９３：電極板（正極板）供給部
９４：電極板挟み込み部
９５：セパレータ熱接着部
９６：電極板周囲切断部
９７：余剰セパレータ除去部
９７’：押え板取り外し部
９８：裸電極板（負極板）供給部
９９：単電池積層体積層部
【図１】
2007329112.tif 000003
【図２】
2007329112.tif 000004
【図３】
2007329112.tif 000005
【図４】
2007329112.tif 000006
【図５】
2007329112.tif 000007
【図６】
2007329112.tif 000008
【図７】
2007329112.tif 000009
【図８】
2007329112.tif 000010
【図９】
2007329112.tif 000011
【図１０】
2007329112.tif 000012
【図１１】
2007329112.tif 000013
【図１２】
2007329112.tif 000014
【図１３】
2007329112.tif 000015